(57)【要約】【課題】大容量のバッテリなどを不要にして、制御盤の小型化、薄型化などを達成しつつ、停電事故などで商用電源が遮断された状態で乗りかごを救出運転するときにも救出作業に必要な電力を確保する。【解決手段】乗りかご３内に利用者がいる状況で、停電事故などが発生して、外部から電源供給が停止され、駆動巻上機４のブレーキが一時的に解除され、乗りかご３が最寄り階に救出運転されているとき、制御盤９ａ内に配置されたインバータ１２を回生運転して得られた回生電力で、制御盤９ａを動作し、各乗り場呼び情報装置８に設けられている照明器具１０を点灯し、操作面を照明する。【選択図】図１
2007076827.tif 000002
【特許請求の範囲】
【請求項１】
機械室を持たないロープ式のエレベータシステムにおいて、
乗りかごを救出運転するとき、駆動巻上機のブレーキを一時的に解除して、乗りかごを昇降している間、駆動巻上機を回生運転して回生電力を生成する制御盤と、
各乗り場呼び登録装置側に配置され、乗りかごを救出運転するとき、前記制御盤によって得られた回生電力を使用して、救出運転に必要な照明光を得る照明器具と、
を備えたことを特徴とするエレベータシステム。
【請求項２】
機械室を持たないロープ式のエレベータシステムにおいて、
乗りかごを救出運転するとき、駆動巻上機のブレーキを一時的に解除して、乗りかごを昇降している間、駆動巻上機を回生運転して回生電力を生成するとともに、前記駆動巻上機の回転方向を検知する制御盤と、
各乗り場呼び登録装置側に配置され、乗りかごを救出運転するとき、前記制御盤によって得られた回生電力、および回転方向の検知結果に基づき、前記乗りかごの移動方向を表示する移動方向表示器と、
を備えたことを特徴とするエレベータシステム。
【請求項３】
機械室を持たないロープ式のエレベータシステムにおいて、
乗りかごを救出運転するとき、駆動巻上機のブレーキを一時的に解除して、乗りかごを昇降している間、駆動巻上機を回生運転して回生電力を生成するとともに、回生電力の電圧値、または電流値に基づき、前記乗りかごの移動速度を検知する制御盤と、
各乗り場呼び登録装置側に配置され、乗りかごを救出運転するとき、前記制御盤によって得られた回生電力、および移動速度の検知結果に基づき、前記乗りかごの移動速度を表示する移動速度表示器と、
を備えたことを特徴とするエレベータシステム。
【請求項４】
機械室を持たないロープ式のエレベータシステムにおいて、
乗りかごを救出運転するとき、駆動巻上機のブレーキを一時的に解除して、乗りかごを昇降している間、調速器の回転力を利用して、電力を発生する発電機と、
各乗り場呼び登録装置側に配置され、乗りかごを救出運転するとき、前記発電機によって得られた回生電力を使用して、救出運転に必要な照明光を得る照明器具と、
を備えたことを特徴とするエレベータシステム。
【請求項５】
機械室を持たないロープ式のエレベータシステムにおいて、
乗りかごを救出運転するとき、救出作業に必要な電力の一部を出力する補助電源用バッテリと、
乗りかごを救出運転するとき、駆動巻上機のブレーキを一時的に解除して、乗りかごを昇降している間、駆動巻上機を回生運転して回生電力を生成する制御盤と、
各乗り場呼び登録装置側に配置され、乗りかごを救出運転するとき、前記制御盤によって得られた回生電力、または前記補助電源用バッテリから出力される電力を使用して、救出運転に必要な照明光を得る照明器具と、
を備えたことを特徴とするエレベータシステム。
【請求項６】
機械室を持たないロープ式のエレベータシステムにおいて、
乗りかごを救出運転するとき、駆動巻上機のブレーキを一時的に解除して、乗りかごを昇降している間、駆動巻上機を回生運転して回生電力を生成する制御盤と、
各乗り場呼び登録装置側に配置され、乗りかごを救出運転するとき、前記制御盤によって得られた回生電力を使用して、前記乗りかごが移動中であることを報知する報知器と、
を備えたことを特徴とするエレベータシステム。
【発明の詳細な説明】
【技術分野】
【０００１】
本発明は、機器の故障、災害の発生などにより、外部から制御盤などに対する電源供給が停止された場合にも、乗りかごに電源を供給して、照明器具などを点灯するエレベータシステムに関する。
【背景技術】
【０００２】
機械室を持たないロープ式のエレベータシステムとして、従来、図８に示すシステムが知られている。
【０００３】
この図に示すエレベータシステム１０１は、ビルなどに形成された昇降路１０２内に配置される乗りかご１０３と、昇降路１０２の天井部分などに固定され、駆動電圧が供給されているとき、駆動力を発生して、主ロープ１０４を走行し、乗りかご１０３を昇降する駆動巻上機１０４と、昇降路１０２の天井部分などに固定され、乗りかご１０３が昇降するとき、ガバナロープ１０６を介して乗りかご１０３の昇降速度を調整する調速器１０７とを備えている。また、各エレベータ乗り場１０８に配置され、利用者の操作内容に応じた呼び情報を発生する乗り場呼び登録装置１０９と、昇降路１０２内の所定場所に配置され、乗り場呼び登録装置１０９、かご内呼び登録装置などから出力される呼び情報、予め登録されている運転パターンなどに応じて、駆動電圧を出力して、駆動巻上機１０４を動作し、乗りかご１０３を昇降、停止する制御盤１１０と、制御盤１１０内に配置され、機器の故障、災害の発生などにより、外部から電源供給が停止されたとき、各乗り場呼び登録装置１０９などに電源を供給して、照明器具１１１などを点灯し、各乗り場呼登録装置１０９の操作面などを照明するバッテリ１１２とを備えている。
【０００４】
そして、外部から電源が供給されている状態で、各乗り場呼び登録装置１０９のいずれか、またはかご内呼び登録装置などが操作されて、呼び情報が出力されたとき、この呼び情報、予め登録されている運転パターンなどに応じて、制御盤１１０から駆動電圧を出力して、駆動巻上機１０４を動作し、乗りかご１０３を昇降、停止する。
【特許文献１】特開２００５−１４５７０２号公報
【発明の開示】
【発明が解決しようとする課題】
【０００５】
ところで、このようなエレベータシステム１０１では、機器の故障、災害などにより、外部からの電源供給が停止したとき、制御盤１１０から駆動電圧を出力することができなくなり、乗りかご１０３を昇降することが不可能になる。
【０００６】
そして、乗りかご１０３内に利用者がいる状況で、このような停電事故などが発生したとき、制御盤１１０に取り付けられたバッテリ１１２によって、各乗り場呼び登録装置１０９の照明器具１１１を点灯して、操作面を照明しながら、救出作業員などにより、駆動巻上機１０４のブレーキを一時的に解除して、乗りかご１０３を最寄り階に移動し、利用者を救出するようにしている。
【０００７】
しかしながら、このようなバッテリ１１２は、制御盤１１０に取り付けられる関係上、あまり大容量なものを使用するができない。このため、照明器具１１１の照明時間、ワット数などが制限され、利用者の救出に時間がかかるとき、救出途中で、電源切れになってしまう恐れがあった。
【０００８】
また、このようなバッテリ１１２は、経年変化などにより、容量が少しずつ低下することから、保守作業員などによって、定期的に点検して、交換などの作業を行わせなければならず、交換が容易な小さなものにしてほしいという要求があった。
【０００９】
本発明は上記の事情に鑑み、大容量のバッテリなどを不要にして、制御盤の小型化、薄型化などを達成しつつ、停電事故などで商用電源が遮断された状態で乗りかごを救出運転するときにも救出作業に必要な電力を確保することができるエレベータシステムを提供することを目的としている。
【課題を解決するための手段】
【００１０】
上記の目的を達成するために本発明は、請求項１では、機械室を持たないロープ式のエレベータシステムにおいて、乗りかごを救出運転するとき、駆動巻上機のブレーキを一時的に解除して、乗りかごを昇降している間、駆動巻上機を回生運転して回生電力を生成する制御盤と、各乗り場呼び登録装置側に配置され、乗りかごを救出運転するとき、前記制御盤によって得られた回生電力を使用して、救出運転に必要な照明光を得る照明器具とを備えたことを特徴としている。
【００１１】
請求項２では、機械室を持たないロープ式のエレベータシステムにおいて、乗りかごを救出運転するとき、駆動巻上機のブレーキを一時的に解除して、乗りかごを昇降している間、駆動巻上機を回生運転して回生電力を生成するとともに、前記駆動巻上機の回転方向を検知する制御盤と、各乗り場呼び登録装置側に配置され、乗りかごを救出運転するとき、前記制御盤によって得られた回生電力、および回転方向の検知結果に基づき、前記乗りかごの移動方向を表示する移動方向表示器とを備えたことを特徴としている。
【００１２】
請求項３では、機械室を持たないロープ式のエレベータシステムにおいて、乗りかごを救出運転するとき、駆動巻上機のブレーキを一時的に解除して、乗りかごを昇降している間、駆動巻上機を回生運転して回生電力を生成するとともに、回生電力の電圧値、または電流値に基づき、前記乗りかごの移動速度を検知する制御盤と、各乗り場呼び登録装置側に配置され、乗りかごを救出運転するとき、前記制御盤によって得られた回生電力、および移動速度の検知結果に基づき、前記乗りかごの移動速度を表示する移動速度表示器とを備えたことを特徴としている。
【００１３】
請求項４では、機械室を持たないロープ式のエレベータシステムにおいて、乗りかごを救出運転するとき、駆動巻上機のブレーキを一時的に解除して、乗りかごを昇降している間、調速器の回転力を利用して、電力を発生する発電機と、各乗り場呼び登録装置側に配置され、乗りかごを救出運転するとき、前記発電機によって得られた回生電力を使用して、救出運転に必要な照明光を得る照明器具とを備えたことを特徴としている。
【００１４】
請求項５では、機械室を持たないロープ式のエレベータシステムにおいて、乗りかごを救出運転するとき、救出作業に必要な電力の一部を出力する補助電源用バッテリと、乗りかごを救出運転するとき、駆動巻上機のブレーキを一時的に解除して、乗りかごを昇降している間、駆動巻上機を回生運転して回生電力を生成する制御盤と、各乗り場呼び登録装置側に配置され、乗りかごを救出運転するとき、前記制御盤によって得られた回生電力、または前記補助電源用バッテリから出力される電力を使用して、救出運転に必要な照明光を得る照明器具とを備えたことを特徴としている。
【００１５】
請求項６では、機械室を持たないロープ式のエレベータシステムにおいて、乗りかごを救出運転するとき、駆動巻上機のブレーキを一時的に解除して、乗りかごを昇降している間、駆動巻上機を回生運転して回生電力を生成する制御盤と、各乗り場呼び登録装置側に配置され、乗りかごを救出運転するとき、前記制御盤によって得られた回生電力を使用して、前記乗りかごが移動中であることを報知する報知器とを備えたことを特徴としている。
【発明の効果】
【００１６】
本発明によれば、大容量のバッテリなどを不要にして、制御盤の小型化、薄型化などを達成することができる。また、停電事故などが発生し、商用電源が遮断された状態で、乗りかごを救出運転するときにも、救出作業に必要な電力を確保することができる。
【発明を実施するための最良の形態】
【００１７】
《第１の実施形態》
図１は本発明によるエレベータシステムの第１の実施形態を示す概略構成図である。
【００１８】
この図に示すエレベータシステム１ａは、昇降路２内に配置される乗りかご３と、昇降路２の天井部分などに固定され、駆動電圧の供給により駆動力を発生して主ロープ３を走行し、乗りかご３を昇降する駆動巻上機４と、昇降路２の天井部分などに固定され、乗りかご３が昇降するとき、ガバナロープ５を介して乗りかご３の昇降速度を調整する調速器６とを備えている。
【００１９】
また、各エレベータ乗り場７に配置され、利用者や救出作業員などの操作内容に応じた呼び情報、救出運転指示などを発生する乗り場呼び登録装置８と、制御盤９ａとを備えている。
【００２０】
制御盤９ａは、昇降路２内の所定場所に配置され、各乗り場呼び登録装置８、かご内呼び登録装置などから出力される呼び情報、予め登録されている運転パターンなどに応じて、図２に示すように、整流器１１を動作させて、商用電力を直流電圧に変換する。また、この制御盤９ａは、インバータ１２を動作させて、指定された周波数、電圧値を持つ駆動電圧を出力させ、駆動巻上機４を駆動する。さらに、この制御場９ａは、機器の故障、災害の発生などにより、商用電力の供給が停止し、各乗り場呼び登録装置８などから救出運転指示が出力されるとともに、救出作業員などによって、駆動巻上機４のブレーキが一時的に解除され、乗りかご３が最寄り階に救出運転されているとき、図２に示すインバータ１２を回生運転して、駆動巻上機４の回転力を回生電力に変換する。この際、ＤＣ／ＤＣコンバータなどの変圧器１３によって、指定された電圧値範囲の電圧にした後、小さなバッテリ１４によってバックアップされているマイコン部１５に供給して、各乗り場呼び情報装置８に設けられている照明器具１０を点灯し、各乗り場呼登録装置８の操作面などを照明する。
【００２１】
以上の構成において、外部から電源が供給されている状態で、各乗り場呼び登録装置８のいずれか、またはかご内呼び登録装置などが操作されて、呼び情報が出力されると、この呼び情報、予め登録されている運転パターンなどに応じて、制御盤９ａから駆動電圧を出力して、駆動巻上機４を動作させ、乗りかご３を昇降、停止する。
【００２２】
また、乗りかご３内に利用者がいる状況で、停電事故などが発生して、外部から電源供給が停止し、各乗り場呼び登録装置８のいずれかなどから救出運転指示が出されるとともに、救出作業員などによって、駆動巻上機４のブレーキが一時的に解除され、乗りかご３が最寄り階に救出運転されているとき、制御盤９ａ内に配置されたインバータ１２を回生運転して、駆動巻上機４の回転力を回生電力に変換する。また、変圧器１３により、電圧値範囲の電圧にして、マイコン部１５に供給するとともに、マイコン部１５から各乗り場呼び情報装置８に設けられている照明器具１０などに電力を供給して、これらを点灯する。これにより救出運転が容易になる。
【００２３】
このように第１の実施形態によれば、大容量のバッテリなどを不要にして、制御盤９ａの小型化、薄型化などを達成しながら、停電事故などが発生し、商用電源が遮断された状態で、乗りかご３を救出運転するとき、救出作業に必要な電力を確保でき、各乗り場呼び登録装置８などを照明することができる。
【００２４】
《第２の実施形態》
図３は本発明によるエレベータシステムの第２の実施形態を示す概略構成図である。なお、この図において、図１の各部と同じ部分には、同じ符号が付してある。
【００２５】
この図に示すエレベータシステム１ｂは、回生運転を行って得られた回生電力の極性判定機能などを持つ制御盤９ｂを配置するとともに、各乗り場呼び登録装置８に乗りかご上昇表示器２１と、乗りかご下降表示器２２とを配置し、乗りかご３を救出運転するとき、乗りかご３の移動方向に応じて、乗りかご上昇表示器２１、または乗りかご下降表示器２２のいずれか一方を点灯し、乗りかご３の移動方向を表示するようにしたことである。
【００２６】
以上の構成において、乗りかご３内に利用者がいる状況で、停電事故などが発生して、外部から電源供給が停止し、各乗り場呼び登録装置８のいずれかなどから救出運転指示が出されるとともに、救出作業員などによって、駆動巻上機４のブレーキが一時的に解除され、乗りかご３が最寄り階に救出運転されているとき、制御盤９ｂを回生運転して、駆動巻上機４の回転力を回生電力に変換するとともに、回生電力の極性を検知して、乗りかご３の移動方向を判定し、この判定結果に基づき、乗りかご３が上昇しているとき、各乗り場呼び登録装置８に設けられた乗りかご上昇表示器２１を点灯して、乗りかご３が上階側に救出運転されていることを知らせ、また乗りかご３が下降しているとき、各乗り場呼び登録装置８に設けられた乗りかご下降表示器２２を点灯して、乗りかご３が下階側に救出運転されていることを知らせる。
【００２７】
このように第２の実施形態によれば、大容量のバッテリなどを不要にして、制御盤の小型化、薄型化などを達成しながら、停電事故などが発生し、商用電源が遮断された状態で、乗りかごを救出運転するとき、救出作業に必要な電力を確保することができるとともに、乗りかご３の移動方向を表示して、救出作業員の安全性を確保することができる。
【００２８】
《第３の実施形態》
図４は本発明によるエレベータシステムの第３の実施形態を示す概略構成図である。なお、この図において、図１の各部と同じ部分には、同じ符号が付してある。
【００２９】
この図に示すエレベータシステム１ｃは、回生運転を行って得られた回生電力の電圧値、または電流値を検出して乗りかご３の移動速度を検知する救出運転速度検知機能などを持つ制御盤９ｃを配置するとともに、各乗り場呼び登録装置８に乗りかご速度表示器３１を配置し、乗りかご３を救出運転するとき、乗りかご３の移動速度を検知して、乗りかご速度表示器３１に表示するようにしたことである。
【００３０】
以上の構成において、乗りかご３内に利用者がいる状況で、停電事故などが発生して、外部から電源供給が停止され、各乗り場呼び登録装置８のいずれかなどから救出運転指示が出されるとともに、救出作業員などによって、駆動巻上機４のブレーキが一時的に解除され、乗りかご３が最寄り階に救出運転されているとき、制御盤９ｃを回生運転して、駆動巻上機４の回転力を回生電力に変換するとともに、回生電力の電圧値、または電流値を検出して、乗りかご３の移動速度を検知し、各乗り場呼び登録装置８に設けられた乗りかご速度表示器３１に乗りかご３の移動速度を表示する。
【００３１】
このように第３の実施形態によれば、大容量のバッテリなどを不要にして、制御盤９ｃの小型化、薄型化などを達成しながら、停電事故などが発生し、商用電源が遮断された状態で、乗りかご３を救出運転するとき、救出作業に必要な電力を確保することができるとともに、乗りかご３の移動速度を表示して、救出作業員の安全性を確保することができる。
【００３２】
《第４の実施形態》
図５は本発明によるエレベータシステムの第４の実施形態を示す概略構成図である。なお、この図において、図１の各部と同じ部分には、同じ符号が付してある。
【００３３】
この図に示すエレベータシステム１ｄは、商用電源、他の電源などを用いてシステム各部に電力を供給する制御盤９ｄを配置するとともに、調速器９に発電機４１を取り付け、乗りかご３を救出運転するとき、発電機４１によって、ガバナ回転エネルギーを電力に変換し、これによって得られた電力を制御盤９ｄに供給して、各乗り場呼び登録装置８に設けられた照明器具１０を点灯し、各乗り場呼登録装置８の操作面などを照明するようにしたことである。
【００３４】
以上の構成において、乗りかご３内に利用者がいる状況で、停電事故などが発生して、外部から電源供給が停止され、各乗り場呼び登録装置８のいずれかなどから救出運転指示が出されるとともに、救出作業員などによって、駆動巻上機４のブレーキが一時的に解除され、乗りかご３が最寄り階に救出運転されているとき、発電機４１によって、ガバナ回転エネルギーを電力に変換するとともに、発電機４１で得られた電力を配電盤９ｄに供給して、各乗り場呼び登録装置８に設けられた照明器具１０を点灯し、各乗り場呼登録装置８の操作面などを照明する。
【００３５】
このように第４の実施形態によれば、大容量のバッテリなどを不要にして、制御盤９ｄの小型化、薄型化などを達成しながら、停電事故などが発生し、商用電源が遮断された状態で、乗りかご３を救出運転するとき、ガバナ回転エネルギーを電力に変換して、救出作業に必要な電力を確保し、各乗り場呼び登録装置８などを照明することができる。
【００３６】
《第５の実施形態》
図６は本発明によるエレベータシステムの第５の実施形態を示す概略構成図である。なお、この図において、図１の各部と同じ部分には、同じ符号が付してある。
【００３７】
この図に示すエレベータシステム１ｅは、比較的、大きな容量の補助電源用バッテリ５１を持つ制御盤９ｅを配置して、乗りかご３を救出運転するとき、制御盤９ｅを回生運転して得られた回生電力を各乗り場呼び登録装置８に設けられた照明器具１０に供給するとともに、補助電源用バッテリ５１によって得られた電力を各乗り場呼び登録装置８に設けられた照明器具１０に供給して、乗りかご３が停止していても、照明器具１０を点灯し、各乗り場呼登録装置８の操作面などを照明するようにしたことである。
【００３８】
以上の構成において、乗りかご３内に利用者がいる状況で、停電事故などが発生して、外部から電源供給が停止され、各乗り場呼び登録装置８のいずれかなどから救出運転指示が出されるとともに、救出作業員などによって、駆動巻上機４のブレーキが一時的に解除され、乗りかご３が最寄り階に救出運転されるとき、乗りかご３が昇降する前から、補助電源用バッテリ５１によって得られた電力を各乗り場呼び登録装置８の照明器具１０に供給して、点灯し、各乗り場呼登録装置８の操作面などを照明する。
【００３９】
このように第５の実施形態によれば、従来のシステムの比べて、バッテリを小型化し、制御盤５１の小型化、薄型化などを達成しながら、停電事故などが発生し、商用電源が遮断された状態で、乗りかご３を救出運転するとき、乗りかご３の昇降状態にかかわらず、救出作業に必要な電力を確保して、各乗り場呼び登録装置８などを照明することができる。
【００４０】
《第６の実施形態》
図７は本発明によるエレベータシステムの第６の実施形態を示す概略構成図である。なお、この図において、図１の各部と同じ部分には、同じ符号が付してある。
【００４１】
この図に示すエレベータシステム１ｆは、救出運転を行っていることを報知する機能を持つ制御盤９ｆを配置するとともに、各乗り場呼び登録装置８にブザー６１を取り付け、乗りかご３を救出運転するとき、制御盤９ｆによって、駆動巻上機４を回生運転して、各乗り場呼び登録装置８の照明器具、昇降路２内に配置された各照明器具などに電力を供給し、操作面、昇降路２内などを照明するとともに、各ブザー６１を鳴らして、乗りかご３が移動中であることを報知するようにしたことである。
【００４２】
以上の構成において、乗りかご３内に利用者がいる状況で、停電事故などが発生して、外部から電源供給が停止され、各乗り場呼び登録装置８のいずれかなどから救出運転指示が出されるとともに、救出作業員などによって、駆動巻上機４のブレーキが一時的に解除され、乗りかご３が最寄り階に救出運転されるとき、制御盤９ｆによって、駆動巻上機４を回生運転して、各乗り場呼び登録装置８の照明器具、昇降路２内に配置された各照明器具などに電力を供給し、操作面、昇降路２内などを照明するとともに、各ブザー６１を鳴らして、乗りかご３が移動中であることを報知し、救出運転時の安全性を高めする。
【００４３】
このように第６の実施形態によれば、大容量のバッテリなどを不要にして、制御盤９ｆの小型化、薄型化などを達成しながら、停電事故などが発生し、商用電源が遮断された状態で、乗りかご３を救出運転するとき、救出作業に必要な電力を確保して、各乗り場呼び登録装置８などを照明することができるとともに、乗りかご３が移動中であるとき、ブザー音を出して、救出作業員に注意を促すことができる。
【図面の簡単な説明】
【００４４】
【図１】本発明によるエレベータシステムの第１の実施形態を示す概略構成図。
【図２】図１に示す制御盤の詳細な回路構成例を示すブロック図。
【図３】本発明によるエレベータシステムの第２の実施形態を示す概略構成図。
【図４】本発明によるエレベータシステムの第３の実施形態を示す概略構成図。
【図５】本発明によるエレベータシステムの第４の実施形態を示す概略構成図。
【図６】本発明によるエレベータシステムの第５の実施形態を示す概略構成図。
【図７】本発明によるエレベータシステムの第６の実施形態を示す概略構成図。
【図８】従来から知られているエレベータシステムの一例を示す概略構成図。
【符号の説明】
【００４５】
１ａ〜１ｆ：エレベータシステム
２：昇降路
３：主ロープ
４：駆動巻上機
５：ガバナロープ
６：調速器
７：エレベータ乗り場
８：乗り場呼び登録装置
９ａ〜９ｆ：制御盤
１０：照明器具
１１：整流器
１２：インバータ
１３：変圧器
１４：バッテリ
１５：マイコン部
２１：乗りかご上昇表示器
２２：乗りかご下降表示器
３１：乗りかご速度表示器
４１：発電機
５１：補助電源用バッテリ
６１：ブザー（報知器）
【図１】
2007076827.tif 000003
【図２】
2007076827.tif 000004
【図３】
2007076827.tif 000005
【図４】
2007076827.tif 000006
【図５】
2007076827.tif 000007
【図６】
2007076827.tif 000008
【図７】
2007076827.tif 000009
【図８】
2007076827.tif 000010